(57)【要約】      （修正有）【課題】トイレの便座に簡便に取り付けられ、無拘束で利用者の生体情報を計測し、ＧＰＳなどを利用して位置情報や、居場所確認などに簡便に使われる密封式ウレタンセンサーマットを提供する。【解決手段】トイレ便座の裏側に簡便に取り付けられた生体情報の制御機能システムと消臭機能や芳香機能と密封式ウレタンセンサーマット７を包含した袋状のカバーからなる無拘束タイプの生体情報取得と密封式ウレタンセンサーマットであり、利用者のおならや排尿や排便などを検出することが可能であって、利用者が今どこにいるのか居場所の情報を提供すると共に、今現在生きているのか判断ができる状況を提供する特徴を有している。【選択図】図５
2020062359.tif 000002
【特許請求の範囲】
【請求項１】
トイレ便座の裏側に簡便に取り付けられた生体情報の制御機能システムと消臭機能や芳香機能と密封式ウレタンセンサーマットを包含した袋状のカバーからなる無拘束タイプの生体情報取得と密封式ウレタンセンサーマット。
上記密封式ウレタンセンサーマットには制御システムや計測システムなどのアルゴリズムを元に作成した計測システムのアナログ回路とデジタル回路とを併せ持つ小型の電子回路チップ回路と便座に体重が載ったときに噴霧機能の電子式消臭剤や噴霧機能のウレタンに含有した溶液消臭などの機能を持ったウレタンに溶液をしみこませた部分や電子式芳香剤噴霧機能のウレタンに含有した溶液アロマなどの機能を持ったウレタンに溶液をしみこませた部分と生体情報を検知する密封されたウレタンセンサーマットからなる三位一体からなる構成で便座にお尻りが乗ったときの体重でスイッチが入り消臭が噴霧されて、機能の開始となる。
前記の機能ユニットは便座の裏側の形状は接着など取り付けが容易なように、平面的であわせるように接着されて、体重がかかっても下部の便器に重量が乗っても割れたり崩れないようにする。
【請求項２】
トイレ便座上に簡易的に設置からなる密封式ウレタンセンサーマットを用いた排便のおならやいきみや排尿や心拍や脈派や呼吸などの測定方法と前記２タイプの消臭と芳香剤を選択可能な電子式及び消臭液を含有したウレタン材と制御システムや計測システムや居場所情報をワイヤレス装置で制御部とそれを包含する袋状のカバーからなる。
前記密封式ウレタンセンサーマットに付属している回路は利用者がおならやいきみやなど排便しているか排尿しているのか、情報伝達は転送ワイヤレスシステムであって、無拘束タイプのウレタン密封式のウレタンセンサーマットからなる。
上記おならや排尿や排便など検出することが可能、
前記機能には今どこにいるのか居場所の情報を提供することを有し、今現在生きているのか判断ができる状況を提供する特徴を有し、
前記、排尿や排便の消臭や芳香の機能を併せ持つ。
【発明の詳細な説明】
【技術分野】
【０００１】本発明は、機能を付与した介護利用者向けである。
さらに詳細は基本構成を利用した介護利用者向け無拘束システムの生体情報、及び電子式消臭剤方式や噴霧機能や電子式アロマ芳香剤や密封式ウレタンセンサーマットに徘徊や見守り機能など複数の機能を付与した多機能システムを提供する事に関する。
【背景技術】
【０００２】高齢者の居場所確認や生存しているかどうか生体情報を無拘束ウレタンセンサーマットで検知して、トイレに居る時には排便や排尿やおならなどや心拍や脈派など計測してワイヤレス方式で情報を知らせる。
【発明の概要】
【発明が解決しようとする課題】
【０００３】  本発明は、以上の事実をかんがみ、介護を受ける利用者のトイレ内の生体情報や電子式消臭や電子式芳香剤等を提供することにより癒しと安心を提供する。
【課題を解決するための手段】
【０００４】上記課題を解決するために本発明は排泄、排尿やいきみやおなら、心拍や脈派などの生体情報を無拘束で伝達するワイヤレスのｉＰｈｏｎｅ（商標登録）Ｂｌｕｅｔｏｏｔｈ（商標登録）Ｗｉ−Ｆｉ（商標登録）などを利用する。
位置情報としてはＧＰＳ（グローバル・ポジショニング・システム（英語：Ｇｌｏｂａｌ  Ｐｏｓｉｔｉｏｎｉｎｇ  Ｓｙｓｔｅｍ，Ｇｌｏｂａｌ  Ｐｏｓｉｔｉｏｎｉｎｇ  Ｓａｔｅｌｌｉｔｅ，ＧＰＳ、全地球測位システム）とは、アメリカ合衆国によって運用される衛星測位システム（地球上の現在位置を測定するためのシステムのこと）を利用する。
インターネットなどデジタル社会にマッチした新たなシリーズを新たな機能を付与して生かせることを見出した。
【先行技術文献】
【０００５】
【特許文献１】特願２０１６−６７４２９号公報
【特許文献２】特願２０１３−２４８３６４号公報
【特許文献３】特許５９６０５１８号
【引用文献１】
【０００６】
【特許文献１】特開２００５−４３８３号公報
【特許文献２】特開２００２−１３６４９７号公報
【特許文献３】特開２０１７−１２６３７５号公報
【特許文献４】特開平８−２８２３５８号公報
【引用文献２】
【０００７】菊池鉄男の介護向け特許シリーズ
【特許文献１】特願２０１３−２４８３６４号公報
【特許文献２】特願２０１７−１０３９９１号（補正）
【特許文献３】特願２０１７−１３４１４６号（補正）
【０００８】
【非特許文献１】密封式ウレタンセンサーマット方式は元法政大学教授渡邊嘉二郎氏（工学、医学博士）の諸論文には散見できない。
【発明の概要】
【発明が解決しようとする課題】
【０００９】高齢者や障がい者がや独居老人や在宅介護をする老老介護をする家族の人等弱者は自力での排便や排尿が困難な状況におかれる場合がある、排泄行為は日々の体調を維持して、環境の整備と清潔な環境場所としてトイレがあり、その場で生体情報や衛生面や消臭や芳香による癒しなど新たな提供が可能となる。
【発明の効果】
【００１０】前記の形態に基づいて本発明を実施すると以下のような効果が得られる。
１：利用者の利便性と自立性
１−１：無拘束ウレタンセンサーマットトや電子式消臭剤や電子式芳香剤や消臭液やアロマ芳香液を含浸したウレタンからなり、利用者は癒しのために電子式かウレタンに含浸した溶液を選択することが可能であり、リモコンやタッチパネルの操作や音声により確認が使う時に得られる。
１−２：見守りや安否確認はじめ、どのような日時や時間で行われたか記録が求められる。又健康管理に必要なデーターの記録が可能となる。
１−３：健康装置には無拘束ウレタンセンサーマットによる生体情報や居場所確認や生存確認などのほかに電子式消臭剤やウレタンに含浸した溶液を選ぶことが可能な構成である。
【問題を解決するための手段】
【００１１】本発明は利用者の居場所を明確に確認ができて、其の利用者の生体情報を確認ができ、いきているのか排便や排尿をしているのか確認。
【図面の簡単な説明】
【００１２】
【図１】ａ  発明は便座の裏側に接着、位置情報と生体情報の取得と床に密封式ウレタンセンサーマットをセットすることによる位置情報と生体情報の実施形態における外観図  ｂ  ｉＨｈｏｎｅ  Ｃ  パソコン
【図２】ｄ  上面図
【図３】ｅ  側面図  本発明の実施形態におけるイラスト展開構成図である。
【図４】Ｆ  正面図  本発明の実施形態における
【図５】ｇ  ベンザ裏蓋図  本発明の実施形態における便座裏側に接着して取り付ける生体情報及び消臭か芳香か選択可能なユニット図。
【図６】本発明の実施形態における  ｆ  詳細図  本発明の実施形態におけるＰＣ部と電源部イラスト構成図と電子式消臭剤かウレタンに含浸か溶液タイプのイラスト構成図
【図７】構成図
【発明を実施するための形態】
【００１３】（ａ）
以下、本発明の実施形態を図面に基ずいて詳細に説明する。
〔図１〕に示したように、本発明の構成図。
ａ
１：ベンザカバー
２：ベンザ
３：離床センサーマット（無拘束ウレタンセンサーマット）
【００１４】ｂ
５：ｉＰｈｏｎｅ。
【００１５】ｃ
６：パソコン
【００１６】〔図２〕
ｄ
上面図
〔図３〕
ｅ
側面図
〔図４〕
ｆ
正面図
〔図５〕
ｇ
ベンザ裏蓋図
【００１７】便座の裏側の計測部は貼り付け。
７：密封式ウレタンセンサーマット
８：消臭および芳香ウニット
９：制御部、計測部（バッテリー内臓）回路
１０：ベンザ裏蓋
〔図６〕
詳細断面図
２：ベンザ
７：密封式ウレタンセンサーマット
８：消臭および芳香ウニット
９：制御部、計測部（バッテリー内臓）回路
【符号の説明】１：ベンザマット
２：ベンザ
３：密封式ウレタンセンサーマット（離床検知及び脈派、呼吸など）
４：ベンザ裏蓋部
５：ｉＨｈｏｎｅ部
６：パソコン
７：密封式ウレタンセンサーマット
８：消臭および芳香ウニット
９：制御部、計測部（バッテリー内臓）回路
【図１】
2020062359.tif 000003
【図２】
2020062359.tif 000004
【図３】
2020062359.tif 000005
【図４】
2020062359.tif 000006
【図５】
2020062359.tif 000007
【図６】
2020062359.tif 000008
【図７】
2020062359.tif 000009